(57)【要約】【課題】画像形成の際のトナーの詰まりを未然に防止すること。【解決手段】トナーを現像器１０３に供給するためのトナー供給ローラ１０１を有する画像形成装置１００において、品質情報取得手段は、あらかじめ定められた複数の画像形成の品質に関する品質情報の中から利用者によって選択された品質情報を取得する。環境情報取得手段は、あらかじめ定められた複数の画像形成の動作環境に関する環境情報の中から現在の動作環境に関する環境情報を取得する。制御手段は、品質情報と環境情報とに基づいて画像形成の際のトナーの詰まりを防止するようトナー供給ローラ１０１の回転を制御する。【選択図】図１
2007212752.tif 000002
【特許請求の範囲】
【請求項１】
現像剤を現像器に供給するための現像剤供給ローラを有する画像形成装置において、
あらかじめ定められた複数の画像形成の品質に関する品質情報の中から利用者によって選択された品質情報を取得する品質情報取得手段と、
あらかじめ定められた複数の画像形成の動作環境に関する環境情報の中から現在の動作環境に関する環境情報を取得する環境情報取得手段と、
前記品質情報と前記環境情報とに基づいて前記画像形成の際の前記現像剤の詰まりを防止するよう前記現像剤供給ローラの回転を制御する制御手段と、
を備えることを特徴とする画像形成装置。
【請求項２】
前記品質情報と、前記環境情報と、前記制御手段がおこなう制御の内容に関する情報と、を関連付けたテーブルを記憶した記憶手段を有し、
前記制御手段は、前記記憶手段に記憶された前記テーブルに基づいて前記現像剤供給ローラの回転速度と、回転方向と、回転時間と、を制御することを特徴とする請求項１に記載の画像形成装置。
【請求項３】
前記制御手段は、前記記憶手段に記憶された前記テーブルに基づいて、前記画像形成前におこなう制御と、前記画像形成中におこなう制御と、前記画像形成後におこなう制御と、を組み合わせて前記現像剤供給ローラを制御することを特徴とする請求項２に記載の画像形成装置。
【請求項４】
前記制御手段は、自装置が非稼働の状態が継続した時間を算出し、当該算出した時間が所定時間以上の場合、前記画像形成前に前記現像剤供給ローラを所定速度で所定時間回転させることを特徴とする請求項１〜３のいずれか一つに記載の画像形成装置。
【請求項５】
現像剤を現像器に供給するための現像剤供給ローラを有する画像形成装置の画像形成方法において、
あらかじめ定められた複数の画像形成の品質に関する品質情報の中から利用者によって選択された品質情報を取得する品質情報取得工程と、
あらかじめ定められた複数の画像形成の動作環境に関する環境情報の中から現在の動作環境に関する環境情報を取得する環境情報取得工程と、
前記品質情報と前記環境情報とに基づいて前記画像形成の際の前記現像剤の詰まりを防止するよう前記現像剤供給ローラの回転を制御する制御工程と、
を含むことを特徴とする画像形成方法。
【請求項６】
前記制御工程は、前記品質情報と、前記環境情報と、前記制御工程による制御の内容に関する情報と、を関連付けた記憶内容に基づいて前記現像剤供給ローラの回転速度と、回転方向と、回転時間と、を制御することを特徴とする請求項５に記載の画像形成方法。
【請求項７】
前記制御工程は、前記記憶内容に基づいて、前記画像形成前におこなう制御と、前記画像形成中におこなう制御と、前記画像形成後におこなう制御と、を組み合わせて前記現像剤供給ローラを制御することを特徴とする請求項６に記載の画像形成方法。
【請求項８】
前記制御工程は、自装置が非稼働の状態が継続した時間を算出し、当該算出した時間が所定時間以上の場合、前記画像形成前に前記現像剤供給ローラを所定速度で所定時間回転させることを特徴とする請求項５〜７のいずれか一つに記載の画像形成方法。
【請求項９】
請求項５〜８のいずれか一つに記載の画像形成方法をコンピュータに実行させることを特徴とする画像形成プログラム。
【請求項１０】
請求項９に記載の画像形成プログラムを記録したことを特徴とするコンピュータに読み取り可能な記録媒体。
【発明の詳細な説明】
【技術分野】
【０００１】
この発明は、画像を形成する画像形成装置、画像形成方法、画像形成プログラムおよびコンピュータに読み取り可能な記録媒体に関する。
【背景技術】
【０００２】
従来、画像形成装置のトナー保持体からトナー供給ローラによってトナーを現像器に供給する際のトナーの詰まりを防止する方法が提案されている。たとえば、トナー供給ローラを支持する軸またはトナー供給ローラの外側表面に隣接して設けられた加振手段によって、一定時間ごとにトナー供給ローラに振動を与える方法がある（たとえば、下記特許文献１参照。）。
【０００３】
【特許文献１】特開平１１−８４８７２号公報
【発明の開示】
【発明が解決しようとする課題】
【０００４】
しかしながら、上記従来技術によれば、水晶などの圧電振動子、チタン酸バリウムなどの磁器振動子、フェライトなどの磁わい振動子といった高価な振動子が必要であり、コストがかかるという問題がある。また、高価な振動子を用いてトナー供給ローラを振動させるため、高価な振動子を保護するための構造が複雑化するという問題がある。
【０００５】
この発明は、上述した従来技術による問題点を解消するため、特別な構成を必要とせず簡単にトナーの詰まりを予防し、機器の破損や損傷を未然に防止することができる画像形成装置、画像形成方法、画像形成プログラムおよびコンピュータに読み取り可能な記録媒体を提供することを目的とする。
【課題を解決するための手段】
【０００６】
上述した課題を解決し、目的を達成するため、請求項１の発明にかかる画像形成装置は、現像剤を現像器に供給するための現像剤供給ローラを有する画像形成装置において、あらかじめ定められた複数の画像形成の品質に関する品質情報の中から利用者によって選択された品質情報を取得する品質情報取得手段と、あらかじめ定められた複数の画像形成の動作環境に関する環境情報の中から現在の動作環境に関する環境情報を取得する環境情報取得手段と、前記品質情報と前記環境情報とに基づいて前記画像形成の際の前記現像剤の詰まりを防止するよう前記現像剤供給ローラの回転を制御する制御手段と、を備えることを特徴とする。
【０００７】
また、請求項２の発明にかかる画像形成装置は、請求項１に記載の発明において、前記品質情報と、前記環境情報と、前記制御手段がおこなう制御の内容に関する情報と、を関連付けたテーブルを記憶した記憶手段を有し、前記制御手段は、前記記憶手段に記憶された前記テーブルに基づいて前記現像剤供給ローラの回転速度と、回転方向と、回転時間と、を制御することを特徴とする。
【０００８】
また、請求項３の発明にかかる画像形成装置は、請求項２に記載の発明において、前記制御手段は、前記記憶手段に記憶された前記テーブルに基づいて、前記画像形成前におこなう制御と、前記画像形成中におこなう制御と、前記画像形成後におこなう制御と、を組み合わせて前記現像剤供給ローラを制御することを特徴とする。
【０００９】
また、請求項４の発明にかかる画像形成装置は、請求項１〜３のいずれか一つに記載の発明において、前記制御手段は、自装置が非稼働の状態が継続した時間を算出し、当該算出した時間が所定時間以上の場合、前記画像形成前に前記現像剤供給ローラを所定速度で所定時間回転させることを特徴とする。
【００１０】
また、請求項５の発明にかかる画像形成方法は、現像剤を現像器に供給するための現像剤供給ローラを有する画像形成装置の画像形成方法において、あらかじめ定められた複数の画像形成の品質に関する品質情報の中から利用者によって選択された品質情報を取得する品質情報取得工程と、あらかじめ定められた複数の画像形成の動作環境に関する環境情報の中から現在の動作環境に関する環境情報を取得する環境情報取得工程と、前記品質情報と前記環境情報とに基づいて前記画像形成の際の前記現像剤の詰まりを防止するよう前記現像剤供給ローラの回転を制御する制御工程と、を含むことを特徴とする。
【００１１】
また、請求項６の発明にかかる画像形成方法は、請求項５に記載の発明において、前記制御工程は、前記品質情報と、前記環境情報と、前記制御工程による制御の内容に関する情報と、を関連付けた記憶内容に基づいて前記現像剤供給ローラの回転速度と、回転方向と、回転時間と、を制御することを特徴とする。
【００１２】
また、請求項７の発明にかかる画像形成方法は、請求項６に記載の発明において、前記制御工程は、前記記憶内容に基づいて、前記画像形成前におこなう制御と、前記画像形成中におこなう制御と、前記画像形成後におこなう制御と、を組み合わせて前記現像剤供給ローラを制御することを特徴とする。
【００１３】
また、請求項８の発明にかかる画像形成方法は、請求項５〜７のいずれか一つに記載の発明において、前記制御工程は、自装置が非稼働の状態が継続した時間を算出し、当該算出した時間が所定時間以上の場合、前記画像形成前に前記現像剤供給ローラを所定速度で所定時間回転させることを特徴とする。
【００１４】
また、請求項９の発明にかかる画像形成プログラムは、請求項５〜８のいずれか一つに記載の画像形成方法をコンピュータに実行させることを特徴とする。
【００１５】
また、請求項１０の発明にかかるコンピュータに読み取り可能な記録媒体は、請求項９に記載の画像形成プログラムを記録したことを特徴とする。
【発明の効果】
【００１６】
本発明にかかる画像形成装置、画像形成方法、画像形成プログラムおよびコンピュータに読み取り可能な記録媒体によれば、トナー供給ローラの回転を制御するだけの簡単な構成でトナーの詰まりを予防し、機器の破損や損傷を未然に防止することができる。
【発明を実施するための最良の形態】
【００１７】
以下に添付図面を参照して、この発明にかかる画像形成装置、画像形成方法、画像形成プログラムおよびコンピュータに読み取り可能な記録媒体の好適な実施の形態を詳細に説明する。
【００１８】
（実施の形態）
まず、図１を用いて、本発明の実施の形態にかかる画像形成装置について説明する。図１は、本発明の実施の形態にかかる画像形成装置の全体構成を示す概要図である。本発明の実施の形態にかかる画像形成装置１００は、トナー供給ローラ１０１と、トナー保持体１０２と、現像器１０３と、感光体１０４と、帯電器１０５と、露光器１０６と、転写ベルト１０８と、一次転写ローラ１０９と、クリーナーブレード１１０と、給紙ローラ１１１と、給紙トレイ１１２と、用紙１１３と、二次転写ローラ１１４と、定着器１１５と、排紙ローラ１１６と、によって構成される。
【００１９】
画像形成装置１００は、転写ベルト１０８に沿って各色のトナー保持体（１０２Ｂ、１０２Ｍ、１０２Ｃ、１０２Ｙ）が並べられた構成を備えるものであり、所謂、タンデムタイプといわれるものである。Ｂはブラック、Ｍはマゼンタ、Ｃはシアン、Ｙはイエローを示し、各トナー保持体（１０２Ｂ、１０２Ｍ、１０２Ｃ、１０２Ｙ）にはそれぞれの色のトナーが封入されている。
【００２０】
図１において、転写ベルト１０８は反時計回りに回転し、回転方向の上流側から順に、複数のトナー保持体１０２Ｂ、１０２Ｍ、１０２Ｃ、１０２Ｙが配列されている。これら複数のトナー保持体１０２Ｂ、１０２Ｍ、１０２Ｃ、１０２Ｙは、形成するトナー画像の色が異なるだけで内部構成は共通である。そこで、以下の説明では、ブラックのトナー保持体１０２Ｂおよびトナー供給ローラ１０１Ｂの構成について具体的に説明するが、他色のトナー保持体１０２Ｍ、１０２Ｃ、１０２Ｙおよびトナー供給ローラ１０１Ｍ、１０１Ｃ、１０１Ｙの構成は、ブラックのトナー保持体１０２Ｂおよびトナー供給ローラ１０１Ｂの構成と同様であるため、説明を省略する。
【００２１】
画像形成に際し、トナー供給ローラ１０１Ｂは、図１において時計回りに回転し（以下、正転と呼ぶ）、トナー保持体１０２Ｂの中にあるブラックのトナーを現像器１０３Ｂに供給する。トナー供給ローラ１０１Ｂの回転速度は、５０ｍｍ／ｓｅｃから１６０ｍｍ／ｓｅｃまで任意に変更させることができる（以下、１６０ｍｍ／ｓｅｃの回転速度で駆動させることを全速と呼ぶ）。
【００２２】
感光体１０４Ｂの外周面は、暗中にて帯電器１０５Ｂによって一様に帯電する。この後、露光器１０６は、帯電器１０５Ｂによって一様に帯電した感光体１０４Ｂにブラックの画像に対応したレーザ光１０７Ｂを照射して露光する。これによって感光体１０４Ｂ上にブラックの静電潜像が形成される。
【００２３】
現像器１０３Ｂは、この静電潜像をブラックのトナーにより可視像化する。これによって、感光体１０４Ｂ上にブラックのトナー画像が形成される。このブラックのトナー画像は、感光体１０４Ｂと転写ベルト１０８とが接する位置（一次転写位置）で、一次転写ローラ１０９Ｂの働きにより転写ベルト１０８上に転写される。この転写により、転写ベルト１０８上にブラックのトナーによるトナー画像が形成される。ブラックのトナー画像の転写が終了した感光体１０４Ｂは、外周面に残留した不要なトナーをクリーナーブレード１１０Ｂにより払拭された後、つぎの画像形成のために待機する。同様にして、マゼンタ、シアン、イエローのトナー画像が形成され、各トナー画像が重なるように転写ベルト１０８上に形成される。
【００２４】
二次転写ローラ１１４は、給紙ローラ１１１によって給紙トレイ１１２から搬送された用紙１１３にトナー画像を転写する。その後、定着器１１５は、トナー画像を用紙１１３に固着させる。そして、トナー画像が固着された用紙１１３は、排紙ローラ１１６によって画像形成装置１００の外部に排出される。
【００２５】
画像形成において、たとえば、厚紙印刷時や高密度印刷時などは、低速印刷がおこなわれる。低速印刷を長時間続けると、トナー供給ローラ１０１付近でのトナーの流れが遅くなるために、トナー詰まりが発生する問題がある。トナー詰まりが発生したまま無理に駆動を続けると、トナー供給量が低下し印刷濃度が低くなるばかりか、最悪の場合、トナー供給ローラ１０１が破損し、機器が使用不可能になる可能性がある。そこで、本発明の実施の形態にかかる画像形成装置１００は、画像形成前、画像形成中および画像形成後において、トナー供給ローラ１０１の回転速度、回転方向および回転時間を制御することによってトナー詰まりを防止する。
【００２６】
つぎに、図２を用いて、本発明の実施の形態にかかる画像形成装置１００のハードウェア構成について説明する。図２は、本発明の実施の形態にかかる画像形成装置のハードウェア構成を示す図である。図２において、画像形成装置１００は、ＣＰＵ２０１と、記憶部２０２と、Ｉ／Ｏ制御用ＬＳＩ２０３と、モータ２０４と、クラッチ２０５と、駆動伝達機構２０６と、トナー供給ローラ１０１Ｂ、１０１Ｍ、１０１Ｃ、１０１Ｙと、によって構成されている。
【００２７】
ＣＰＵ２０１は、画像形成処理の全体を制御する。また、ＣＰＵ２０１は、画像形成前、画像形成中および画像形成後においてトナー詰まりの防止動作をおこなう。記憶部２０２には、後述するトナー詰まりの防止動作におけるトナー供給ローラ１０１の回転速度、回転方向および回転時間に関する情報が記憶されている。
【００２８】
また、ＣＰＵ２０１は、Ｉ／Ｏ制御用ＬＳＩ２０３によってモータ２０４やクラッチ２０５を制御する。モータ２０４は、駆動伝達機構２０６を通じてトナー供給ローラ１０１Ｂ〜１０１Ｙを回転させる。また、クラッチ２０５は、駆動伝達機構２０６を通じてトナー供給ローラ１０１Ｂ〜１０１Ｙを停止させる。トナー供給ローラ１０１Ｂ〜１０１Ｙの回転速度、回転方向および回転時間は、ＣＰＵ２０１がＩ／Ｏ制御用ＬＳＩ２０３を介してモータ２０４を制御することによって変更することができる。
【００２９】
つぎに、図３を用いて、本発明の実施の形態にかかる画像形成装置１００がおこなうトナー詰まりの防止動作について説明する。まず、トナー詰まりが発生する可能性のある回転速度Ｓについて説明する。トナー詰まりが発生する可能性のある回転速度Ｓは、トナー、トナー供給ローラ１０１、トナー保持体１０２の材質や大きさ（径）や機器の動作環境（温度、湿度など）によって変化する。図１の構成において、トナーの径が約８μｍ程度、トナー供給ローラ１０１の径が１０ｍｍ程度、トナー供給ローラ１０１とトナー保持体１０２の壁の最接近部が０．７５ｍｍ程度である条件（以下、この条件を条件Ｚとする）下では、６０ｍｍ／ｓｅｃ以下の回転速度である場合にトナー詰まりが発生する可能性が出てくることが実験から分かっている。そこで、以下、回転速度Ｓを６０ｍｍ／ｓｅｃとする。
【００３０】
また、トナー詰まりが発生する可能性のある回転速度Ｓ以下でトナー供給ローラ１０１が回転している場合、どの程度の時間または枚数でトナー詰まりが発生する可能性があるかは実験によって分かっている。条件Ｚ下において、動作環境が悪い場合は、１枚印刷するごとにトナー詰まりが発生する可能性があり、動作環境が通常の場合は、３００秒以上でトナー詰まりが発生する可能性があり、動作環境が良い場合は、トナー詰まりは発生しないことが実験から分かっている。
【００３１】
また、トナー供給ローラ１０１が稼働していない時間がどの程度続くとトナー詰まり防止動作を始める必要があるかは実験によって分かっている。条件Ｚ下において、２４時間以上非稼働な状態（電源ＯＦＦ、省エネモードなど）が続いた場合、トナー詰まりが発生する可能性があることが実験から分かっている。また、２４時間以上非稼働な時間が続いた場合のトナー詰まり防止動作は、トナー供給ローラ１０１を２秒間全速で正転させれば十分に予防できることが実験から分かっている。
【００３２】
つぎに、トナー詰まりを防止できるトナー供給ローラ１０１の回転速度について説明する。条件Ｚ下において、トナー詰まりを防止できるトナー供給ローラ１０１の回転速度は、１５０ｍｍ／ｓｅｃ以上の回転速度である場合、トナー詰まりを防止できることが実験から分かっている。
【００３３】
また、条件Ｚ下において、トナー詰まりの防止動作に必要なトナー供給ローラ１０１の回転時間およびトナー詰まりに必要なトナー供給ローラ１０１の逆回転時間がどの程度必要かは、全速（１６０ｍｍ／ｓｅｃ）で回転させた場合、２〜１０秒程度であれば十分であることが実験から分かっている。特にトナー詰まりが発生する可能性のある速度Ｓ（６０ｍｍ／ｓｅｃ）以下の動作中では全速で１０秒であれば十分、動作開始前の待機状態から復帰の際は全速で２秒あれば十分、動作開始後の待機状態に入る際は全速で正転４秒後、逆転２秒間回転させれば十分に防止できることが実験から分かっている。
【００３４】
以上のような実験結果に基づいて設定された、画像形成装置１００がおこなうトナー詰まりの防止動作の内容に関する情報が、記憶部２０２に記憶されている。図３は、本発明の実施の形態にかかる画像形成装置がおこなうトナー詰まりの防止動作の内容を示す図である。図３において、画像形成装置１００は、ユーザが入力する印刷要求の種類に基づいてトナー詰まりの防止動作をおこなう。ユーザが入力する印刷要求の種類には、速度重視、通常、画質重視の３つがある。また、図３における環境条件は、悪い、普通、良いの３つの条件があり、温度や湿度などの動作環境に基づいてＣＰＵ２０１が決定する。
【００３５】
たとえば、図３において、ユーザが入力した印刷要求が速度重視であり、環境条件が悪い場合、画像形成装置１００は、印刷中にトナー供給ローラ１０１を６００秒ごとに１０秒間全速で正転させる。そして、印刷後にトナー供給ローラ１０１を４秒間全速で正転させた後、２秒間全速で逆転させる。また、図３において、ユーザが入力した印刷要求が通常であり、環境条件が普通の場合、画像形成装置１００は、印刷中にトナー供給ローラ１０１を３００秒ごとに１０秒間全速で正転させる。そして、印刷後にトナー供給ローラ１０１を４秒間全速で正転させた後、２秒間全速で逆転させる。また、図３において、ユーザが入力する印刷要求が画質重視であり、環境条件が良い場合、画像形成装置１００は、印刷前にトナー供給ローラ１０１を２秒間全速で正転させる。
【００３６】
つぎに、図４を用いて、本発明の実施の形態にかかる画像形成装置１００がおこなうトナー詰まりの防止動作の処理の内容を説明する。図４は、本発明の実施の形態にかかる画像形成装置がおこなうトナー詰まりの防止動作の処理の内容を示すフローチャートである。図４のフローチャートにおいて、まず、ＣＰＵ２０１は、印刷の開始要求を受け付けたか否かを判断する（ステップＳ４０１）。印刷の開始要求は、ユーザが図示しない操作部を操作して印刷要求を選択することによっておこなわれる。また、印刷要求には、図３で説明したように、速度重視、通常、画質重視の３つがある。
【００３７】
ステップＳ４０１において、印刷の開始要求を受け付けるのを待って（ステップＳ４０１：Ｎｏのループ）、受け付けた場合（ステップＳ４０１：Ｙｅｓ）、ＣＰＵ２０１は、環境条件を決定する（ステップＳ４０２）。環境条件は、悪い、普通、良いの３つがあり、温度や湿度などの動作環境に基づいてＣＰＵ２０１が決定する。
【００３８】
つづいて、ＣＰＵ２０１は、２４時間以上非稼働状態が続いているか否かを判断する（ステップＳ４０３）。ステップＳ４０３において、２４時間以上非稼働状態が続いていない場合（ステップＳ４０３：Ｎｏ）、ＣＰＵ２０１は、ステップＳ４０５の処理に移行し、印刷前防止動作を実行する。
【００３９】
一方、ステップＳ４０３において、２４時間以上非稼働状態が続いている場合（ステップＳ４０３：Ｙｅｓ）、ＣＰＵ２０１は、トナー供給ローラ１０１を２秒間全速で正転させる（ステップＳ４０４）。具体的には、ＣＰＵ２０１が、Ｉ／Ｏ制御用ＬＳＩ２０３を介してモータ２０４を回転させ、駆動伝達機構２０６を通じてトナー供給ローラ１０１を２秒間全速で正転させる。
【００４０】
つぎに、ＣＰＵ２０１は、印刷前防止動作を実行する（ステップＳ４０５）。印刷前防止動作は、たとえば、ステップＳ４０１において取得した印刷要求が画質重視であり、ステップＳ４０２において決定した環境条件が普通環境である場合、ＣＰＵ２０１が、画質重視かつ普通環境の印刷前防止動作に関する情報を記憶部２０２（図３参照）から読み込み、トナー供給ローラ１０１を２秒間全速で正転させる。
【００４１】
そして、ＣＰＵ２０１は、印刷を開始する（ステップＳ４０６）。印刷中、ＣＰＵ２０１は、印刷中防止動作を実行する（ステップＳ４０７）。印刷中防止動作は、たとえば、ステップＳ４０１において取得した印刷要求が画質重視であり、ステップＳ４０２において決定した環境条件が普通環境である場合、ＣＰＵ２０１が、画質重視かつ普通環境の印刷中防止動作に関する情報を記憶部２０２（図３参照）から読み込み、トナー供給ローラ１０１を３００秒ごとに１０秒間全速で正転させる。
【００４２】
そして、ＣＰＵ２０１は、印刷を終了する（ステップＳ４０８）。印刷後、ＣＰＵ２０１は、印刷後防止動作を実行し（ステップＳ４０９）、一連の処理を終了する。印刷後防止動作は、たとえば、ステップＳ４０１において取得した印刷要求が画質重視であり、ステップＳ４０２において決定した環境条件が普通環境である場合、ＣＰＵ２０１が、画質重視かつ普通環境の印刷後防止動作に関する情報を記憶部２０２（図３参照）から読み込み、トナー供給ローラ１０１を４秒間全速で正転させた後、２秒間全速で逆転させる。
【００４３】
以上説明したように、画像形成装置、画像形成方法、画像形成プログラムおよびコンピュータに読み取り可能な記録媒体によれば、トナー供給ローラの回転を制御するだけでトナーの詰まりを予防することができ、機器の破損、損傷を未然に防止することができる。
【００４４】
なお、本実施の形態で説明した画像形成方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【００４５】
以上のように、本発明にかかる画像形成装置、画像形成方法、画像形成プログラムおよびコンピュータに読み取り可能な記録媒体は、コピー、ＦＡＸ、プリンタなどの機能を有するデジタル複写機に有用であり、特に、原稿を読み取り印刷出力をするコピー機に適している。
【図面の簡単な説明】
【００４６】
【図１】本発明の実施の形態にかかる画像形成装置の全体構成を示す概要図である。
【図２】本発明の実施の形態にかかる画像形成装置のハードウェア構成を示す図である。
【図３】本発明の実施の形態にかかる画像形成装置がおこなうトナー詰まりの防止動作の内容を示す図である。
【図４】本発明の実施の形態にかかる画像形成装置がおこなうトナー詰まりの防止動作の処理の内容を示すフローチャートである。
【符号の説明】
【００４７】
１００  画像形成装置
１０１  トナー供給ローラ
１０２  トナー保持体
１０３  現像器
１０４  感光体
１０５  帯電器
１０６  露光器
１０７  レーザ光
１０８  転写ベルト
１０９  一次転写ローラ
１１０  クリーナーブレード
１１１  給紙ローラ
１１２  給紙トレイ
１１３  用紙
１１４  二次転写ローラ
１１５  定着器
１１６  排紙ローラ
２０１  ＣＰＵ
２０２  記憶部
２０３  Ｉ／Ｏ制御用ＬＳＩ
２０４  モータ
２０５  クラッチ
２０６  駆動伝達機構
【図１】
2007212752.tif 000003
【図２】
2007212752.tif 000004
【図３】
2007212752.tif 000005
【図４】
2007212752.tif 000006